(57)【要約】    【課題】機種名、キャラクタ等の識別情報の表示により他機種との差別化を容易に図り得るようにする。    【解決手段】遊技機本体１の前面側に、第１遊技情報を表示可能な第１遊技情報表示部２０と、この第１遊技情報表示部２０の下側に配置された操作パネル部２１と、この操作パネル部２１の下側に配置された下部パネル部２２とを備え、その下部パネル部２２と操作パネル部２１とに跨がって識別情報表示部４１を設ける。そして、この識別情報表示部４１に、下部パネル部２２から外側領域に食み出すように機種名、キャラクタ等の識別情報４２を表示する。【選択図】図２
2016064048.tif 000002
【特許請求の範囲】
【請求項１】
遊技機本体の前面側に、第１遊技情報を表示可能な第１遊技情報表示部と、該第１遊技情報表示部の下側に配置された操作パネル部と、該操作パネル部の下側に配置された下部パネル部とを備えた遊技機において、
前記下部パネル部から外側領域に食み出して機種名、キャラクタ等の識別情報を表示した
ことを特徴とする遊技機。
【請求項２】
少なくとも前記下部パネル部と、該下部パネル部から外側に食み出した外側領域とに跨がって前記識別情報を表示する識別情報表示部とを備えた
ことを特徴とする請求項１に記載の遊技機。
【請求項３】
前記下部パネル部と前記操作パネル部に跨がって前記識別情報を表示する識別情報表示部を備えた
ことを特徴とする請求項１又は２に記載の遊技機。
【請求項４】
前記操作パネル部は、前記第１遊技情報表示部の下側に配置された上パネル部と、該上パネル部の前側から前記下部パネル部側に配置された前パネル部とを備え、
少なくとも前記前パネル部に前記識別情報の一部を表示した
ことを特徴とする請求項１〜３の何れかに記載の遊技機。
【請求項５】
前記第１遊技情報表示部と前記操作パネル部との間に、前記第１遊技情報とは異なる第２遊技情報を表示する第２遊技情報表示部を備え、
該第２遊技情報表示部に前記識別情報の一部を表示した
ことを特徴とする請求項１〜４の何れかに記載の遊技機。
【請求項６】
前記第１遊技情報表示部は、遊技図柄を回転表示可能な遊技図柄表示部と、演出画像を表示可能な演出画像表示部とを上下に備え、
前記遊技図柄表示部と前記演出画像表示部との内、下側に配置された表示部の下側に前記第２遊技情報表示部を備えた
ことを特徴とする請求項５に記載の遊技機。
【請求項７】
少なくとも前記操作パネル部に表示された識別情報を保護する透明なコーティング層等の保護層を備えた
ことを特徴とする請求項１〜６の何れかに記載の遊技機。
【発明の詳細な説明】
【技術分野】
【０００１】
本発明は、スロットマシン等の遊技機に関し、機種名、キャラクタ、その他の識別情報を下部パネル部の外側領域に食み出して表示するようにしたものである。
【背景技術】
【０００２】
スロットマシンは、筐体と、筐体の前側に開閉自在に配置された前扉とにより遊技機本体を構成し、その前扉の前面側に、遊技情報を変動表示可能な遊技情報表示部と、各種の操作ボタン等が配置された操作パネル部と、この操作パネル部の下側に配置された下部パネル部とを上下方向に備えている（特許文献１）。そして、多くのスロットマシンでは、一般に下部パネル部を前向きに配置して、その下部パネル部に機種名、キャラクタ、その他の識別情報を表示する表示シートを装着している。
【０００３】
またスロットマシンには、識別情報の内、その機種名を前扉の前面の上部に表示し、また前扉に前上向きに傾斜状に配置した下部パネル部にキャラクタを表示したものもある（特許文献２）。
【先行技術文献】
【特許文献】
【０００４】
【特許文献１】特開２０１０−１７２３７４号公報
【特許文献２】特開２００４−３２１６１３号公報
【発明の概要】
【発明が解決しようとする課題】
【０００５】
従来のスロットマシンは、前扉の前面側が遊技情報表示部と操作パネル部と下部パネル部との夫々に区画され過ぎていて、その下部パネル部の領域内に機種名、キャラクタ等の識別情報が表示されている。そのため機種によっては、下部パネル部の配置等に若干の相違があるものの、多くのスロットマシンの外観形態は殆ど同じであって、非常に差別化を図り難いと云う欠点がある。
【０００６】
本発明は、このような従来の問題点に鑑み、機種名、キャラクタ等の識別情報の表示により他機種との差別化を容易に図ることができる遊技機を提供することを目的とする。
【課題を解決するための手段】
【０００７】
本発明は、遊技機本体の前面側に、第１遊技情報を表示可能な第１遊技情報表示部と、該第１遊技情報表示部の下側に配置された操作パネル部と、該操作パネル部の下側に配置された下部パネル部とを備えた遊技機において、前記下部パネル部から外側領域に食み出して機種名、キャラクタ等の識別情報を表示したものである。
【０００８】
少なくとも前記下部パネル部と、該下部パネル部から外側に食み出した外側領域とに跨がって前記識別情報を表示する識別情報表示部とを備えたものでもよい。また前記下部パネル部と前記操作パネル部に跨がって前記識別情報を表示する識別情報表示部を備えたものでもよい。
【０００９】
前記操作パネル部は、前記第１遊技情報表示部の下側に配置された上パネル部と、該上パネル部の前側から前記下部パネル部側に配置された前パネル部とを備え、少なくとも前記前パネル部に前記識別情報の一部を表示してもよい。前記第１遊技情報表示部と前記操作パネル部との間に、前記第１遊技情報とは異なる第２遊技情報を表示する第２遊技情報表示部を備え、該第２遊技情報表示部に前記識別情報の一部を表示してもよい。
【００１０】
前記第１遊技情報表示部は、遊技図柄を回転表示可能な遊技図柄表示部と、演出画像を表示可能な演出画像表示部とを上下に備え、前記遊技図柄表示部と前記演出画像表示部との内、下側に配置された表示部の下側に前記第２遊技情報表示部を備えたものでもよい。少なくとも前記操作パネル部に表示された識別情報を保護する透明なコーティング層等の保護層を備えていることが望ましい。
【発明の効果】
【００１１】
本発明によれば、機種名、キャラクタ等の識別情報の表示により他機種との差別化を容易に図ることができる利点がある。
【図面の簡単な説明】
【００１２】
【図１】本発明の第１の実施形態を示すスロットマシンの斜視図である。
【図２】同前扉側の正面図である。
【図３】同筐体側の正面図である。
【図４】本発明の第２の実施形態を示すスロットマシンの斜視図である。
【図５】同要部の断面図である。
【図６】本発明の第３の実施形態を示すスロットマシンの斜視図である。
【図７】同スロットマシンの下部側の分解斜視図である。
【図８】同スロットマシンの下部側の断面図である。
【図９】同前パネル部側の断面図である。
【図１０】本発明の第４の実施形態を示すスロットマシンの斜視図である。
【発明を実施するための形態】
【００１３】
以下、本発明の各実施形態を図面に基づいて詳述する。
【００１４】
図１〜図３は本発明をスロットマシンに採用した第１の実施形態を例示する。図１〜図３において、１は遊技機本体であり、矩形箱状の筐体２と、この筐体２の前側に配置された矩形状の前扉３とを備えている。筐体２は前側が開放する縦長矩形状の箱形に形成されており、その前側を閉鎖するように左右方向の一端側のヒンジ（図示省略）を介して前扉３が開閉自在に装着されている。
【００１５】
筐体２内には、左右方向に３組（複数組）の図柄表示リール５ａ〜５ｃを有するリール式の遊技図柄表示手段６が上部の中間棚４上に装着され、底板７上にメダル払い出し手段８とメダル補助ケース９と電源基板ケース１０とが配置され、また背板１１の上下方向の中間に主制御基板１２を収容する主制御基板ケース１３が配置されている。
【００１６】
図柄表示リール５ａ〜５ｃは駆動モータ１４ａ〜１４ｃの駆動により左右方向の軸心廻りに個別に回転、停止可能であり、この図柄表示リール５ａ〜５ｃの回転・停止により、その外周に周方向に等間隔をおいて表示された遊技図柄が変動し停止するようになっている。なお、この遊技図柄表示手段６は液晶式等の画像表示手段により構成して、その表示画面に表示される遊技図柄の表示画像が図柄表示リール５ａ〜５ｃの遊技図柄と同様に回転変動するように構成しても良い。
【００１７】
メダル払い出し手段８は、図３に示すように、メダルホッパー１５内のメダルを前扉３の排出シュートを経てメダル排出口１６からメダル受け皿１７へと払い出すようになっている。メダル補助ケース９はメダルホッパー１５から溢れたメダルを貯留するためのものである。
【００１８】
前扉３の前面側には、第１遊技情報を表示可能な第１遊技情報表示部２０が上部に配置され、また第１遊技情報表示部２０の下側の上下方向の中間部に操作パネル部２１が、この操作パネル部２１の下側の下部に下部パネル部２２が夫々配置されている。
【００１９】
第１遊技情報には遊技図柄表示手段６により回転表示される遊技図柄と、遊技中に演出画像表示手段２３により表示される動画等の演出画像とがある。従って、第１遊技情報表示部２０はその第１遊技情報の種類に応じて遊技図柄表示部２４と演出画像表示部２５とを有し、その遊技図柄表示部２４及び演出画像表示部２５が前扉３の前側に上下に配置されている。
【００２０】
遊技図柄表示部２４は演出画像表示部２５の上側にあり、前扉３の最上部に形成された矩形状の遊技図柄表示窓２６と、この遊技図柄表示窓２６の後側に対応して配置された遊技図柄表示手段６とを備え、３組の図柄表示リール５ａ〜５ｃの外周に付された多数の遊技図柄の内、遊技図柄表示窓２６に対応する３個（複数個）の遊技図柄を前側から視認可能になっている。
【００２１】
演出画像表示部２５は、前扉３に形成された矩形状の演出画像表示窓２７と、この演出画像表示窓２７に対応して前扉３の後側に着脱自在に装着された液晶式等の演出画像表示手段２３とを備え、演出画像表示手段２３に表示される動画等の演出画像を前側から視認可能になっている。
【００２２】
なお、遊技図柄表示部２４と演出画像表示部２５は上下逆に配置しても良い。また第１遊技情報表示部２０は、１個の液晶式等の画像表示手段を備え、その画像表示手段の表示画面の異なる領域又は一部重なる領域等の適宜領域に遊技図柄と液晶表示画像とを表示するようにしても良い。
【００２３】
操作パネル部２１は演出画像表示窓２７の下端側から前側へと前下がり状に傾斜する上パネル部２８と、この上パネル部２８の前端側から下方へと前向き状に垂下する前パネル部２９とを備えている。
【００２４】
上パネル部２８は左右方向に長い横長平坦状であり、この上パネル部２８には、その左右方向の中央部分を除く左右一端側に１ベットボタン３０、マックスベットボタン３１及びキャンセルボタン３２等の各種の操作手段が設けられ、また他端側にメダルを投入可能なメダル投入口３３が設けられている。１ベットボタン３０、マックスベットボタン３１は、メダル投入口３３へのメダル投入に代えてクレジットからメダルをベットするためのものである。
【００２５】
前パネル部２９は左右方向に長い横長矩形状であって、上パネル部２８の前端縁と略面一状か又は若干後側で前向きに配置されている。この前パネル部２９には遊技図柄表示手段６の図柄表示リール５ａ〜５ｃの回転を開始させるためのスタートレバー３５と、遊技図柄表示手段６の回転中の図柄表示リール５ａ〜５ｃを個別に停止させるためのストップボタン３６ａ〜３６ｃと、メダル投入口３３内に詰まったメダルを返却させるための返却ボタン３７とが左右方向に一列状に設けられている。
【００２６】
スタートレバー３５はメダル投入口３３にメダルを投入するか、１ベットボタン３０又はマックスベットボタン３１を操作した後に操作して、各図柄表示リール５ａ〜５ｃを略同時に回転させるためのものである。
【００２７】
ストップボタン３６ａ〜３６ｃは各図柄表示リール５ａ〜５ｃに対応して左右方向に３個あり、ボタンカバー３８から前側に突出するようにボタンユニット３９内に組み込まれている。ボタンカバー３８は前パネル部２９の前面と略面一状か又は若干前側に突出している。このストップボタン３６ａ〜３６ｃ、ボタンカバー３８は、上パネル部２８のマックスベットボタン３１とメダル投入口３３との間の中央部分と対応するように、前パネル部２９の左右中央部分に配置されている。
【００２８】
下部パネル部２２は前パネル部２９と略面一の横長矩形状であって、下部パネル部２２は本来は機種名、キャラクタ、その他の識別情報を表示するために設けられている。しかし、この実施形態では、図２に示すように、下部パネル部２２と、その外側の操作パネル部２１の上パネル部２８、前パネル部２９の中央部分に跨がる外側領域が識別情報表示部４１となっており、その識別情報表示部４１の全体に識別情報４２が印刷、刻印等により表示されている。従って、識別情報４２は本来の下部パネル部２２の他に、この下部パネル部２２から外側に食み出すように表示されている。
【００２９】
例えば、識別情報４２は機種名４３の「中山くん」の文字と、その「中山くん」のキャラクタ４４と、それらの背景（図２の斜線部分）とから構成されており、機種名４３の文字が下部パネル部２２に左右方向に表示され、キャラクタ４４が操作パネル部２１の上パネル部２８及び前パネル部２９の中央部分、又は中央部分から下部パネル部２２の一部に跨がって表示されている。
【００３０】
ストップボタン３６ａ〜３６ｃが停止操作可能なときに発光する発光式の場合には、前パネル部２９とボタンカバー３８とに跨がるようにキャラクタ４４を表示することが望ましい。また識別情報表示部４１の内部側には、識別情報４２を背後から照明するように照明手段を設けることが望ましい。
【００３１】
なお、前扉３の前面側の上部には、第１遊技情報表示部２０の左右両側に発光演出手段４５，４６と上部スピーカ４７とが上下方向に縦長状に配置されている。前扉３の上下方向の中間部には、上パネル部２８と前パネル部２９とを含む操作パネル部２１が配置され、また前扉３の前面側の上部には、下部パネル部２２の下側にメダル排出口１６、メダル受け皿１７、灰皿４８及びスピーカ４９等が配置されている。
【００３２】
このように下部パネル部２２から操作パネル部２１に跨がって識別情報表示部４１を設け、その識別情報表示部４１に下部パネル部２２から外側領域に食み出して機種名４３、キャラクタ４４等の識別情報４２を表示することにより、下部パネル部２２に限って識別情報４２を表示していた従来に比較して、構造的には第１遊技情報表示部２０と操作パネル部２１と下部パネル部２２とに区画されているにも拘わらず、下部パネル部２２からその外側の操作パネル部２１まで識別情報表示部４１が広がることになる。従って、広い領域の識別情報表示部４１に識別情報４２を表示でき、識別情報４２の視認性が向上するため、他のスロットマシンに比較して外観上の斬新性が大となり、他機種との差別化を容易に図ることができる。
【００３３】
また操作パネル部２１を識別情報表示部４１の一部として利用し、その操作パネル部２１に識別情報４２を表示する場合には、遊技中の遊技者が操作パネル部２１のベットボタン３０，３１、ストップボタン３６ａ〜３６ｃ等を頻繁に操作するため、識別情報表示部４１のキャラクタ４４等の識別情報４２が遊技者の眼に触れる機会が大となり、識別情報４２を遊技者に強く印象付けることも可能である。
【００３４】
しかも操作パネル部２１は略直角状に配置された上パネル部２８と前パネル部２９とを有し、その上パネル部２８及び前パネル部２９の両者を識別情報表示部４１の一部に組み入れることによって、識別情報４２を上向き状態と前向き状態とに表示することが可能であり、その表示箇所の向きの違いに応じて識別情報４２の表示形態を変える等により、識別情報４２の表示の斬新性を追求することもできる。
【００３５】
図４、図５は本発明の第２の実施形態を例示する。この実施形態では、下部パネル部２２と操作パネル部２１とに跨がる識別情報表示部４１に表示された識別情報４２の内、少なくとも操作パネル部２１側の識別情報４２は透明なコーティング層、保護フィルム、保護シート等の保護層５０により保護されている。
【００３６】
操作パネル部２１の上パネル部２８及び前パネル部２９は、着色透明又は不透明の合成樹脂製であって、前扉３に形成された支持部５１等により着脱自在に支持されている。そして、上パネル部２８及び前パネル部２９と、その両パネル部２８，２９間の支持部５１とに跨がって識別情報表示部４１が形成され、その識別情報表示部４１に識別情報４２が表示されている。
【００３７】
識別情報４２は印刷等により形成され、その識別情報４２を保護するように上パネル部２８、前パネル部２９及び支持部５１の表面に耐摩耗性を有する透明な保護層５０がコーティング等により形成されている。例えば、保護層５０は図４に斜線で示す領域に設けられている。なお、下部パネル部２２の識別情報４２を保護するように保護層５０をコーティングしても良い。他の構成は第１の実施形態と同様である。
【００３８】
このように上パネル部２８、前パネル部２９等の操作パネル部２１側に識別情報４２を表示する場合には、遊技者が各操作手段を頻繁に操作する関係から、印刷等で表示された識別情報４２が摩耗等で損傷する惧れがあるが、コーティング層等の保護層５０で保護することにより、その識別情報４２の損傷を極力防止できる。
【００３９】
なお、下部パネル部２２側は遊技者が接触する機会は少ないので、必ずしも保護層５０で保護する必要はないが、保護層５０を設けることが望ましい。また識別情報４２が印刷等により表示された表示シートを識別情報表示部４１に貼着等により設けて、その表示シートを透明又は着色透明な保護シートにより上側から保護するようにしても良い。
【００４０】
図６〜図９は本発明の第３の実施形態を例示する。この実施形態では、操作パネル部２１の上パネル部２８及び前パネル部２９、下部パネル部２２の識別情報表示部４１に光透過性を持たせて、その識別情報表示部４１に表示された識別情報４２を照明手段５２〜５４の照明により適度に発光させて表示するようにしたものである。
【００４１】
上パネル部２８は光透過性を有する支持パネル５６と保護パネル５７との間に、識別情報４２が表示された表示シート５８を介在して構成されており、これらの重合体にベットボタン３０，３１、メダル投入口３３等が装着されている。上パネル部２８の内部側には、少なくとも識別情報表示部４１に対応してその背後に照明手段５２が設けられている。この照明手段５２は照明灯５２ａ、反射板５２ｂ等を備え、識別情報表示部４１を照明するようになっている。
【００４２】
前パネル部２９は、そのストップボタン３６ａ〜３６ｃのボタンユニット３９の前側、即ちボタンカバー３８側が識別情報表示部４１の一部となっている。ボタンユニット３９は前扉３の前パネル部２９に配置されており、このボタンユニット３９とボタンカバー３８との間に、識別情報４２が表示された表示シート６０と、この表示シート６０を背後から照明する照明手段５３とが介在されている。ボタンカバー３８は光透過性を有し、このボタンカバー３８の裏側に表示シート６０が配置されている。
【００４３】
照明手段５３は偏平な導光板５３ａと、この導光板５３ａの上端縁等の端縁に対向して設けられたＬＥＤ等の発光体５３ｂを備えている。発光体５３ｂは導光板５３ａの端縁に長手方向に所定間隔を置いて配置されている。導光板５３ａは裏面側に乱反射面５３ｃを有し、発光体５３ｂから板面方向に入射した光を乱反射面５３ｃで乱反射して発光し、その光によって表示シート６０を背後から照明するようになっている。なお、ボタンカバー３８、表示シート６０、照明手段５３には、各ストップボタン３６ａ〜３６ｃに対応するボタン孔６２〜６４が形成されている。
【００４４】
下部パネル部２２は光透過性を有する支持パネル６５と保護パネル６６との間に、識別情報４２が表示された表示シート６７を介在して構成されている。下部パネル部２２の内部側には、その略全域に形成された識別情報表示部４１に対応して背後に照明手段５４が設けられている。照明手段５４は照明灯５４ａ、反射板５４ｂ等を備え、識別情報表示部４１を照明するようになっている。なお、照明手段５２，５４は前扉３内の支持枠６８に装着されている。
【００４５】
このように識別情報４２が表示された表示シート５８，６０，６７を背後側から照明手段５２，５３，５４により照明するようにすれば、識別情報表示部４１の識別情報４２を明るく表示することができる。従って、下部パネル部２２から外側領域に食み出して識別情報４２を表示することと相俟って、その識別情報４２を遊技者に対して強く印象付けることが可能である。
【００４６】
図１０は本発明の第４の実施形態を例示する。この実施形態では、第１遊技情報表示部２０の一部を構成する演出画像表示部２５の下側に、第２遊技情報６９を表示する第２遊技情報表示部７０が上パネル部２８に沿って左右方向に帯状に設けられている。識別情報表示部４１は下部パネル部２２から第２遊技情報表示部７０に跨がって設けられている。第２遊技情報６９は第１遊技情報とは異なるものであって、例えば遊技図柄表示部２４に表示される遊技図柄の変動後の停止図柄が入賞となる場合の組み合わせ等の入賞情報がある。他の構成は、各実施形態と同様である。
【００４７】
このように第２遊技情報６９を表示する第２遊技情報表示部７０が演出画像表示部２５と上パネル部２８との間にある場合には、その第２遊技情報表示部７０にも識別情報表示部４１の一部を設けて、下部パネル部２２から操作パネル部２１を経て第２遊技情報表示部７０に跨がる識別情報表示部４１に識別情報４２を表示することも可能である。
【００４８】
以上、本発明の各実施形態について詳述したが、本発明はこの実施形態にに限定されるものではなく、本発明の趣旨を逸脱しない範囲で種々の変更が可能である。例えば、実施形態では、下部パネル部２２は前向き状態で垂下する場合を例示しているが、前上向きの傾斜状に下部パネル部２２を備え、その下部パネル部２２の上側に配置された操作パネル部２１とに跨がって識別情報表示部４１を配置してもよい。この場合にも下部パネル部２２側と操作パネル部２１側との識別情報表示部４１が連続状であることが望ましいが、所定の方向から見た場合に、識別情報４２の一体性を確保できる関係にあればよく、必ずしも下部パネル部２２側と操作パネル部２１側との識別情報表示部４１が連続状である必要はない。
【００４９】
また操作パネル部２１の上パネル部２８と前パネル部２９は略直角状であってもよいし、その他の角度でもよい。また操作パネル部２１は上パネル部２８と前パネル部２９との一方側のみでもよい。操作パネル部２１に上パネル部２８と前パネル部２９とを上下に配置する場合、下部パネル部２２から前パネル部２９に跨がって識別情報表示部４１を設けてもよい。また前パネル部２９の上下幅が狭いか、又は識別情報４２の表示形態等によっては、下部パネル部２２と上パネル部２８とに識別情報表示部４１を設けて、前パネル部２９を除く上下両側に識別情報４２を表示するようにしてもよい。
【００５０】
操作パネル部２１の上パネル部２８、前パネル部２９に識別情報４２を表示する場合、その識別情報４２は左右方向の略中央部分の所定領域に配置するのが一般的であるが、左右両側部分の所定領域、中央側から左右一端側の所定領域等、識別情報４２の種類、表示形態等に応じて適宜領域を選択して表示すればよい。
【００５１】
識別情報表示部４１に表示さる識別情報４２は、機種名４３のロゴ、キャラクタ４４等が一般的であるが、これら以外のものでも識別性を有する情報であれば十分である。例えば、遊技機の表面等に付される装飾模様等のように識別性のないものは識別情報４２には該当しない。しかし、機種名４３等の識別性を有する情報と併用する場合には、それ自体で識別性のないものでも、全体として識別情報４２の一部を構成することができる。
【００５２】
その他、各実施形態では、スロットマシンについて例示しているが、スロットマシン以外に、パチンコ機等を含む弾球遊技機、その他の各種の遊技機においても同様に実施可能である。従って、遊技機に使用する遊技媒体にはメダルの他にパチンコ球等がある。
【符号の説明】
【００５３】
１  キャラクタ本体
２  筐体
３  前扉
２０  第１遊技情報表示部
２１  操作パネル部
２２  下部パネル部
２４  遊技図柄表示部
２５  演出画像表示部
２８  上パネル部
２９  前パネル部
４１  識別情報表示部
４２  識別情報
【図１】
2016064048.tif 000003
【図２】
2016064048.tif 000004
【図３】
2016064048.tif 000005
【図４】
2016064048.tif 000006
【図５】
2016064048.tif 000007
【図６】
2016064048.tif 000008
【図７】
2016064048.tif 000009
【図８】
2016064048.tif 000010
【図９】
2016064048.tif 000011
【図１０】
2016064048.tif 000012
【手続補正書】
【提出日】平成28年1月27日(2016.1.27)
【手続補正１】
【補正対象書類名】特許請求の範囲
【補正対象項目名】全文
【補正方法】変更
【補正の内容】
【特許請求の範囲】
【請求項１】
遊技機本体の前面側に、第１遊技情報を表示可能な第１遊技情報表示部と、該第１遊技情報表示部の下方側であり且つ操作手段が配置された第１領域と、該第１領域の下方側に配置された第２領域とを備え、
前記第１領域には、上向きに配置された上面側第１領域と、該上面側第１領域の一方端側から下側へと前向きに配置された前面側第１領域とを備えた遊技機において、
前記第２領域と、前記前面側第１領域と、前記上面側第１領域とに跨がる特定領域に、機種名、キャラクタ等の識別情報が連続状に表示されると共に、
前記特定領域内に前記識別情報の主要部の外周縁の略全体が表示される
ことを特徴とする遊技機。
【請求項２】
前記前面側第１領域の左右方向の略中央に、複数のストップボタンが配置され、
前記第２領域と、前記前面側第１領域と、前記上面側第１領域とに跨がる領域に表示される前記識別情報が、前記ストップボタンの周辺近傍を含んで表示される
ことを特徴とする請求項１に記載の遊技機。
【請求項３】
前記第２領域は前上向きに傾斜して配置される
ことを特徴とする請求項１又は２に記載の遊技機。
【請求項４】
前記第１領域は、投入口と、ベットボタンと、スタートレバーが配置され、
前記識別情報は、前記特定領域内において、前記投入口と前記ベットボタンと前記スタートレバーに重なることなく表示される
ことを特徴とする１〜３の何れかに記載の遊技機。
【手続補正２】
【補正対象書類名】明細書
【補正対象項目名】０００７
【補正方法】変更
【補正の内容】
【０００７】
本発明は、遊技機本体の前面側に、第１遊技情報を表示可能な第１遊技情報表示部と、該第１遊技情報表示部の下方側であり且つ操作手段が配置された第１領域と、該第１領域の下方側に配置された第２領域とを備え、前記第１領域には、上向きに配置された上面側第１領域と、該上面側第１領域の一方端側から下側へと前向きに配置された前面側第１領域とを備えた遊技機において、前記第２領域と、前記前面側第１領域と、前記上面側第１領域とに跨がる特定領域に、機種名、キャラクタ等の識別情報が連続状に表示されると共に、前記特定領域内に前記識別情報の主要部の外周縁の略全体が表示されるものである。
【手続補正３】
【補正対象書類名】明細書
【補正対象項目名】０００８
【補正方法】変更
【補正の内容】
【０００８】
前記前面側第１領域の左右方向の略中央に、複数のストップボタンが配置され、前記第２領域と、前記前面側第１領域と、前記上面側第１領域とに跨がる領域に表示される前記識別情報が、前記ストップボタンの周辺近傍を含んで表示されることもある。
【手続補正４】
【補正対象書類名】明細書
【補正対象項目名】０００９
【補正方法】変更
【補正の内容】
【０００９】
前記第２領域は前上向きに傾斜して配置されることもある。前記第１領域は、投入口と、ベットボタンと、スタートレバーが配置され、前記識別情報は、前記特定領域内において、前記投入口と前記ベットボタンと前記スタートレバーに重なることなく表示されることもある。
【手続補正５】
【補正対象書類名】明細書
【補正対象項目名】００１０
【補正方法】削除
【補正の内容】